(57)【要約】【課題】光ファイバトレイ、光ファイバトレイ収容ユニットを用いて、光ファイバの余長処理を行うとき、光ファイバの余長処理の精度を改善し、かつ、作業性を改善する。【解決手段】光ファイバトレイ本体に引き出し式、あるいは回転式の余長処理部を有し、余長処理部を可動させるためのガイドレール、余長処理部の可動時に光ファイバトレイ本体内部の余長処理した光ファイバの曲げを調整するための光ファイバ固定用光ファイバ固定用ストッパを備えることにより、光ファイバの余長処理の精度を高める。【選択図】  図３
2014106261.tif 000002
【特許請求の範囲】
【請求項１】
光ファイバの余長を収納し、収納した光ファイバを２個所から外部へ出す余長収納部と、
通信装置の筐体に格納され前記余長収納部を収容する収容ユニットと、を備え、
前記余長収納部は
光ファイバを巻き取る第１の巻き取り部を有する本体と、
前記第１の巻き取り部で巻き取られない光ファイバを巻き取る第２の巻き取り部を有し、前記本体から引き出され、および、前記本体へ収容される余長処理部と、を備え、
前記本体は、
前記本体内から外部へ出る光ファイバを前記２個所のうちの１個所で固定する第１の固定部材と、
前記第１の固定部材で固定された光ファイバと前記第２の巻き取り部で巻き取られる光ファイバとの間の光ファイバを固定する第２の固定部材と、
前記第１の巻き取り部に巻き取られる光ファイバと前記第２の巻き取り部に巻き取られる光ファイバとの間の光ファイバを固定する第３の固定部材と、
前記第１の巻き取り部から外部へ出る光ファイバを前記２個所のうちの残りのもう１個所で固定する第４の固定部材と、備え、
前記余長処理部は、
前記第２の固定部材で固定された光ファイバと前記第２の巻き取り部に巻き取られる光ファイバとの間の光ファイバを固定する第５の固定部材と、
前記第３の固定部材で固定された光ファイバと前記第２の巻き取り部に巻き取られる光ファイバとの間の光ファイバを固定する第６の固定部材と、を有することを特徴とする光ファイバの余長収納ユニット。
【請求項２】
請求項１に記載の光ファイバの余長収納ユニットであって、
前記本体は前記余長処理部を可動させるレールを有し、
前記第１の固定部材および前記第２の固定部材は、前記レールに沿って配置されていることを特徴とする余長収納ユニット。
【請求項３】
請求項１に記載の光ファイバの余長収納ユニットであって、
前記第２の固定部材と前記第６の固定部材との間の距離は、前記第２の固定部材から前記第５の固定部材との間の距離よりも長いことを特徴とする光ファイバの余長収納ユニット。
【請求項４】
請求項２に記載の光ファイバの余長収納ユニットであって、
前記第１の固定部材および前記第４の固定部材は、前記余長収納部を前記収容ユニットに収容したときに外側に露出する前記余長収納部の端部２個所にそれぞれ設置され、
前記第５の固定部材および前記第６の固定部材は、前記第１の巻き取り部と前記第２の巻き取り部との間にそれぞれ設置されることを特徴とする光ファイバの余長収納ユニット。
【請求項５】
請求項４に記載の光ファイバの余長収納ユニットであって、
前記レールは直線のレールであり、
前記余長処理部は、前記本体から直線的に引き出されることを特徴とする光ファイバの余長収納ユニット。
【請求項６】
請求項４に記載の光ファイバの余長収納ユニットであって、
前記レールは円弧のレールであり、
前記余長処理部は、前記本体から回転して引き出されることを特徴とする光ファイバの余長収納ユニット。
【発明の詳細な説明】
【技術分野】
【０００１】
本発明は、光伝送装置を光ファイバで接続するときに生じる光ファイバの余長を処理するファイバ余長の収納ユニットに関する。
【背景技術】
【０００２】
近年の光伝送装置は高密度化、光ポートの多ポート化により、１装置あたりの光ファイバ収容数が増大しており、多数のファイバを束ねて余長処理をして収容すると、光ポート単位での増減設など保守性が悪くなる。光ポート単位での保守性を考えると、特許文献１や特許文献２にあるように光ファイバの余長を収納する部分を筐体から引き出せる構成とし、筐体の外部で光ファイバの余長処理を行い、それを再び筐体に収納することが考えられる。
【先行技術文献】
【特許文献】
【０００３】
【特許文献１】特開平１０−３１１９３０号公報
【特許文献２】特開平１１−１８３７３２号公報
【発明の概要】
【発明が解決しようとする課題】
【０００４】
光ファイバの余長処理を行う場合、筐体の外部でファイバトレイ等の余長収納部に余長処理を行い、その後余長収納部を筐体に収納することになる。そのため、予め筐体外部での作業を考慮して余長処理を行う必要がある。その結果、筐体収容後に光ファイバの過剰なたるみ、光ファイバの曲げ半径を確保できずに光ファイバに負荷がかかる状態になりやすいなど、余長処理の精度が悪くなる。また、その場合は余長収納部を取り外して、余長処理をやり直す必要が生じて作業性が悪くなる。
【課題を解決するための手段】
【０００５】
本発明においては、余長収納部の本体に引き出し式、あるいは回転式の余長処理部を設け、余長収納部本体および余長処理部それぞれに光ファイバを固定するための固定部材を設けた。
【発明の効果】
【０００６】
光ファイバの固定部材を余長収納部および余長処理部それぞれに設けることで、余長収納部本体を格納するユニットの外部で引き出された余長処理部に対し余長処理をした後で余長処理部をユニットに格納する際に発生する光ファイバの過剰なたるみ、光ファイバへの負荷を軽減でき、余長処理の精度を改善できる。
【図面の簡単な説明】
【０００７】
【図１】ファイバトレイによる光ファイバ収容例である。
【図２】引き出し式可動余長処理部の例である。
【図３】回転式可動余長処理部の例である。
【図４】光ファイバの入出力各々に引き出し式可動余長処理部を構成する例である。
【図５】光ファイバの入出力各々に回転式可動余長処理部を構成する例である。
【図６】余長処理固定部と引き出し式可動余長処理部の全体を引き出し可能とする構成例である。
【図７】余長処理固定部と回転式可動余長処理部の全体を引き出し可能とする構成例である。
【図８】図２構造の光ファイバトレイでの光ファイバを収容する例である。
【図９】図３構造の光ファイバトレイでの光ファイバを収容する例である。
【発明を実施するための形態】
【０００８】
以下図面を参照して、本発明の実施形態を説明する。
【０００９】
図１は、本発明の実施形態に係る光ファイバトレイを用いた光ファイバ余長処理の例である。光伝送装置１−１下部から導入される光ファイバ１−４は、光ファイバ１−４を余長処理する余長収納部である光ファイバトレイ１−３、光ファイバトレイ１−３を収容する筐体の一部であるファイバトレイ収容ユニット１−２を介して、光伝送装置１−１の光ポート１−５に接続する。このように光ファイバトレイ１−３は１個所から光ファイバを外部から導入され、余長処理をした光ファイバをもう１個所から外部へ出す。また、光ファイバは、光ファイバトレイ１−３を光ファイバトレイ収容ユニット１−２に収容したときに、収容ユニットの外部から光ファイバトレイ１−３が見える面を介して光ファイバトレイ１−３に入り、もしくは出る。
【００１０】
図２は、本発明の実施形態に係る引き出し式余長処理部を設けた光ファイバトレイ１−３である。光ファイバトレイ本体２−１はガイドレール２−５を具備し、引き出し式余長処理部２−２は、このガイドレール２−５により光ファイバトレイ本体２−１に対してスライド動作を可能とする。これにより、光ファイバトレイ本体２−１を光ファイバ収納ユニット１−２に収容したまま、引き出し式余長処理部２−２のみの引き出しを可能とする。
【００１１】
さらに、光ファイバトレイ本体２−１の上下両端にストッパ２−１０および２−１１、２−６、光ファイバ巻き取り部２−４右側にストッパ２−７、引き出し式余長処理部２−２の光ファイバ巻き取り部２−３の左側にストッパ２−８、２−９を具備する。ストッパは、例えば光ファイバを挟み込むなどして、光ファイバが動かないよう固定する部材であり、例えばゴムやプラスチック等の弾力を有する素材で製造されてもよい。光ファイバトレイ本体２−１内の光ファイバはストッパ２−７とストッパ２−８、ストッパ２−１０とストッパ２−９で固定され、引き出し式余長処理部２−２を光ファイバトレイ本体２−１に収納する時に、引き出し式余長処理部２−２上のストッパ２−８、２−９の動きにより、発生する光ファイバのたるみを制御する。この詳細は図８で後述する。これらの構造を具備することで、光伝送装置１−１下部から光伝送装置１−１の光ポート１−５の光ファイバルート上での光ファイバの余長処理を可能とし、精度が高い余長処理の実現が可能となる。
【００１２】
図３は、本発明の実施形態に係る回転式余長処理部を設けた光ファイバトレイ１−３である。光ファイバトレイ本体３−１は、カーブ形状のガイドレール３−６を具備する。光ファイバを巻きつけ及び外周長変化を可能とする扇形の回転式余長処理部３−２は、支点３−５を軸にガイドレール３−６伝いに回転式スライド動作を可能とする。図２と同様、光ファイバトレイ本体３−１を光ファイバ収納ユニット１−２に収容したまま、回転式余長処理部３−３のみの回転式引き出しを可能とする。
【００１３】
さらに、光ファイバトレイ本体３−１の上下両端にストッパ３−７、３−１２、ガイドレール３−６上部にストッパ３−１１、光ファイバ巻き取り部３−４の右側にストッパ３−８、回転式余長処理部３−２の光ファイバ巻き取り部３−３の下部にストッパ３−１０、円周部にストッパ３−９を具備する。光ファイバトレイ本体３−１内の光ファイバはストッパ３−８とストッパ３−９、ストッパ３−１１とストッパ３−１０で固定され、回転式余長処理部３−２を光ファイバトレイ本体３−１に収納する時に、回転式余長処理部３−２上のストッパ３−９、２−１０の動きにより、発生する光ファイバのたるみを制御する。この詳細は図９で後述する。これらの構造を具備することで、光伝送装置１−１下部から光伝送装置１−１の光ポート１−５の光ファイバルート上での光ファイバの余長処理を可能とし、精度が高い余長処理の実現が可能となる。
【００１４】
図４は、光ファイバトレイ本体４−１に引き出し式余長処理部４−３及び引き出し式余長処理部４−４を具備した光ファイバトレイで１−３ある。光ファイバトレイ本体４−１には引き出し式余長処理部４−３の引き出しのためのガイドレール４−５を具備し、また引き出し式余長処理部４−４の引き出しのためのガイドレール４−６を具備することで、各々の引き出し式余長処理部を光ファイバトレイ本体４−１から引き出すことを可能とする。引き出し式余長処理部を２個具備することで、光ファイバ各々の接続方向について、余長処理部のみの引き出し及び収容処理を可能とする。
【００１５】
光ファイバトレイ本体４−１の上下両端にストッパ４−７、４−８、４−１５、４−１６、光ファイバ巻き取り部４−２横にストッパ４−１１、４−１２，引き出し式余長処理部４−３上にストッパ４−１３、４−１４、引き出し式余長処理部４−４上にストッパ４−９、４−１０を具備する。引き出し式余長処理部４−３と光ファイバ巻き取り部４−２の間の光ファイバはストッパ４−１２と４−１３、ストッパ４−１４と４−１５で固定され、引き出し式余長処理部４−３を光ファイバトレイ本体４−１に収納する時に、ストッパ４−１３、４−１４の動きにより、発生する光ファイバのたるみを制御する。また、引き出し式余長処理部４−４と光ファイバ巻き取り部４−２の間の光ファイバはストッパ４−８と４−９、ストッパ４−１０と４−１１で固定され、引き出し式余長処理部４−４の収納時に、ストッパ４−９、４−１０の動きにより、発生する光ファイバのたるみを制御する。
【００１６】
なお、図４は引き出し式余長処理部が２個の例であるが、３個以上具備することもできる。このように引き出し式余長処理部を複数具備すると、図２と同様にそれぞれの接続方向で、光伝送装置１−１の光ポート１−５までの光ファイバルート上での光ファイバの余長処理を可能とし、精度の高いケーブル余長処理の実現も可能となる。
【００１７】
図５は、光ファイバトレイ本体５−１に回転式余長処理部５−３及び回転式余長処理部５−４を具備した光ファイバトレイ１−２である。回転式余長処理部５−３の回転式引き出しのためのガイドレール５−５を具備し、また回転式余長処理部５-５の回転式引き出しのためのガイドレール５−６を具備することで、各々の余長処理部の回転式引き出しを可能とする。
【００１８】
光ファイバトレイ本体５−１の上下両端にストッパ５−７、５−１５、ガイドレール５−５上部にストッパ５−１４、光ファイバ巻き取り部５−２横にストッパ５−１０、５−１１，回転式余長処理部５−３上にストッパ５−１２、５−１３、回転式余長処理部５−４上にストッパ５−８、５−９を具備する。回転式余長処理部５−３と光ファイバ巻き取り部５−２の間の光ファイバはストッパ５−１１と５−１２、ストッパ５−１４と５−１３で固定され、回転式余長処理部５−３の収納時に、ストッパ５−１２、５−１３の動きにより、発生する光ファイバのたるみを制御する。また、回転式余長処理部５−４と光ファイバ巻き取り部５−２の間の光ファイバはストッパ５−７と５−８、ストッパ５−１０と５−９で固定され、回転式余長処理部５−４の収納時に、ストッパ５−８、５−９の動きにより、発生する光ファイバのたるみを制御する。
【００１９】
図５では、回転式余長処理部が２個の例であるが、３個以上具備することもできる。このように回転式余長処理部を複数具備する場合、図３と同様にそれぞれの接続方向で、光伝送装置１−１の光ポート１−５までの光ファイバルート上での光ファイバの余長処理を可能とし、精度の高いケーブル余長処理の実現も可能となる。
【００２０】
図６は、光ファイバトレイ本体６−１にガイドレール６−２を具備し、前記図２記載の構造を持つ光ファイバトレイ本体２−１自体の引き出しを可能とする。また、前記図４記載の構造の光ファイバトレイの場合も同様である。すなわち、光ファイバトレイ本体６−１を光ファイバ収納ユニット１−２に収容したまま、光ファイバトレイ本体２−１上に収容されるすべてのケーブル余長を光ファイバトレイ本体６−１から引き出しての余長処理を可能とした構造である。
【００２１】
図７は、光ファイバトレイ本体７−１にガイドレール７−２を具備し、前記図３記載の構造を持つ光ファイバトレイ本体３−１自体の引き出しを可能とする。また、前記図５記載の構造の光ファイバトレイの場合も同様である。図６と同様、光ファイバトレイ本体３−１上に収容されるすべてのケーブル余長を光ファイバトレイ本体７−１から引き出しての余長処理を可能とする。
【００２２】
図８は、図２構造の光ファイバトレイ１−３のファイバ収容例である。（ａ）は図２構造の光ファイバトレイ１−３である。光ファイバ収容ユニット１−２に実装する前に、（ｂ）のように光ファイバトレイ本体２−１の光ファイバ巻き取り部２−４に光ファイバ１−４のおおまかな余長処理を行い、外部側の光ファイバをそれぞれの方向でストッパ２−６、２−１０と２−１１で固定する。（ｃ）で、光ファイバトレイ１−３を光ファイバ収容ユニット１−２に収納する。
【００２３】
その後、（ｄ）で、光ファイバトレイ本体２−１は光ファイバ収容ユニットに収納したまま、引き出し式余長処理部２−２を引き出す。そして（ｅ）で、光ファイバ１−４の点線部分を引き出し式余長処理部２−２の光ファイバ巻き取り部２−３で余長処理を行った後、（ｆ）のように引き出し式余長処理部２−２を光ファイバトレイ本体２−１に収納する。収納時には、ストッパ２−７と２−８の間、およびストッパ２−１０と２−９の間の光ファイバは引き出し式余長処理部２−２の動きに応じて、光ファイバの曲げが調整されることにより、光ファイバのたるみが制御される。また、図４構造の光ファイバトレイ、図６構造の光ファイバトレイも同様である。
【００２４】
このように、ストッパ２−１０と２−１１がガイドレール２−５に沿って光ファイバを光ファイバトレイ本体２−１の奥のほうへ導入するため、余長処理部２−２を光ファイバトレイ本体２−１に対して出し入れするときに、光ファイバが余長処理部２−２に引っかかるなどして無用なテンションを加えることを防ぐことができる。また、図８（ｅ）や図８（ｆ）に示すとおり、本体のストッパ２−１０に対して余長処理部２−２のストッパは、近いほうのストッパ２−８ではなく遠いほうのストッパ２−９をつなげるため、余長処理部２−２を本体２−１に収納したときに、光ファイバが折り曲げられたりきついカーブを描くことを防ぐことができる。また、光ファイバ巻き取り部２−３や２−４の近傍にストッパ２−８、２−９、２−７を設けて光ファイバを固定することで、余長処理部２−２を本体２−１に対して出し入れしたときに、光ファイバが動いて巻き取りが緩くなったり、逆にきつく巻きついて光ファイバに余計なテンションが加わることを防ぐことができる。
【００２５】
図９は、図３構造の光ファイバトレイ１−３のファイバ収容例である。（ａ）は図３構造の光ファイバトレイ１−３である。光ファイバ収容ユニット１−２に実装する前に、（ｂ）のように光ファイバトレイ本体３−１の光ファイバ巻き取り部３−４に光ファイバ１−４のおおまかな余長処理を行い、外部側の光ファイバをそれぞれの方向でストッパ３−７、３−１２で固定する。（ｃ）で、光ファイバトレイ本体３−１を光ファイバ収容ユニット１−２に収容する。
【００２６】
その後、（ｄ）で、回転式余長処理部３−２を光ファイバトレイ本体３−１から引き出す。そして（ｅ）で、光ファイバ１−４の点線部分を回転式余長処理部３−２の光ファイバ巻き取り部３−３で余長処理を行った後、（ｆ）のように引き出し式余長処理部３−２を光ファイバトレイ本体３−１に収納する。収納時には、ストッパ３−８と３−９の間、およびストッパ３−１１と３−１０の間の光ファイバは回転式余長処理部３−２の動きに応じて、光ファイバの曲げが調整されることにより、光ファイバのたるみが制御される。
【００２７】
このように、ストッパ３−１１と３−１２がガイドレール３−６に沿って光ファイバを光ファイバトレイ本体３−１の奥のほうへ導入するため、余長処理部３−２を光ファイバトレイ本体３−１に対して出し入れするときに、光ファイバが余長処理部３−２に引っかかるなどして無用なテンションを加えることを防ぐことができる。また、図９（ｅ）や図９（ｆ）に示すとおり、本体のストッパ３−１１に対して余長処理部３−２のストッパは、近いほうのストッパ３−９ではなく遠いほうのストッパ３−１０をつなげるため、余長処理部３−２を本体３−１に収納したときに、光ファイバが折り曲げられたりきついカーブを描くことを防ぐことができる。また、光ファイバ巻き取り部３−３や３−４の近傍にストッパ３−９、３−１０、３−８を設けて光ファイバを固定することで、余長処理部３−２を本体３−１に対して出し入れしたときに、光ファイバが動いて巻き取りが緩くなったり、逆にきつく巻きついて光ファイバに余計なテンションが加わることを防ぐことができる。
【００２８】
なお、図５構造の光ファイバトレイ、図７構造の光ファイバトレイも図８や図９で説明したのと同じ効果を得られる。
【符号の説明】
【００２９】
１−１  光伝送装置
１−２  ファイバトレイ収容ユニット
１−３  ファイバトレイ
１−４  光ファイバ
１−５  光ポート
２−１  ３−１  トレイ本体
２−２  引き出し式余長処理部
２−３  ２−４  ３−３  ３−４  光ファイバ巻き取り部
２−５  ３−６  ガイドレール
２−６〜２−１１  ３−７〜３−１２  ストッパ
３−２  回転式余長処理部
５−６  ガイドレール
５−７〜５−１５  ストッパ
【図１】
2014106261.tif 000003
【図２】
2014106261.tif 000004
【図３】
2014106261.tif 000005
【図４】
2014106261.tif 000006
【図５】
2014106261.tif 000007
【図６】
2014106261.tif 000008
【図７】
2014106261.tif 000009
【図８】
2014106261.tif 000010
【図９】
2014106261.tif 000011